(57)【要約】【課題】  擁壁の天端の高さ調整が簡単に行なえ、必要に応じてガードレール基礎や側溝などの構造物を埋設できる天端調整用ブロックを提供する。【解決手段】  本発明の天端調整用ブロックは、大型ブロック積み擁壁の正面を構成する正面壁部と、該正面壁部の裏側に連設された控え尻部とからなる。構築しようとする擁壁の天端の設計勾配に対応して余長部分を切除できるように、前記正面壁部は前記控え尻部よりも上方に長く突出形成してある。【選択図】  図３
2007077662.tif 000002
【特許請求の範囲】
【請求項１】
大型ブロック積み擁壁の正面を構成する正面壁部と、該正面壁部の裏側に連設された控え尻部とからなり、構築しようとする擁壁の天端の設計勾配に対応して余長部分を切除できるように、前記正面壁部を前記控え尻部よりも上方に長く突出形成してある、大型ブロック積み擁壁の天端調整用ブロック。
【発明の詳細な説明】
【技術分野】
【０００１】
本発明は、大型ブロック積み擁壁の構築において擁壁天端の高さを設計勾配に合致させるために使用される天端調整用ブロックに関する。
【背景技術】
【０００２】
従来、坂道等の勾配がある造成地における大型ブロック積み擁壁の施工は、壁面構成用単位部材である擁壁ブロックが基底部を水平に配置して基礎コンクリート上に据え付けられるため、複数個の擁壁ブロックを隣り合わせて順次積み上げることによって構築された擁壁の頂部すなわち天端は、階段状に段差が存在するものとなる。
この天端における不体裁な段差を解消するために、従来は、設計勾配に合致するように該段差部分にコンクリートを現場打設して天端の高さを調整していた。
【０００３】
水平に設置された擁壁天端の段差部分に現場でコンクリートを打設する場合、一般に高所での作業となるので、安全対策上もコンクリート型枠工事のための足場の仮設が必要であり、また、打設コンクリートの養生期間も加算されるため全体の工期が長くなった。
【０００４】
また、擁壁の施工現場の設計勾配が一定でなく、使用される擁壁ブロックの規格も多様であるため、準備すべきコンクリート打設用型枠の形状や寸法が多種になり、資材コストが嵩むことになった。
【０００５】
擁壁天端を設計勾配に合わせるために化粧部、アンカー部及びつなぎ部で構成する調整ブロックが提案されている（特許文献１参照）。
この調整ブロックによる天端調整方法では、設計勾配に合せて擁壁の最上部に化粧部高さ調整モルタルを適当な大きさで化粧部とつなぎ部の交点部分に設け、同様に造成地盤の最上部にアンカー部高さ調整モルタルをアンカー部とつなぎ部との交点部分に設け、調整ブロックを据え付ける際、前記化粧部高さ調整モルタルの上に化粧部とつなぎ部の交点部分を載せ、前記アンカー部高さ調整モルタルの上にアンカー部とつなぎ部の交点部分を載せる。
所定の計画長さに複数個の調整ブロックの据え付けが完了した後、前記化粧部の背面と擁壁最上部の重なり部分の隅角部の空隙をモルタルで塞ぎ、所定の裏込め材料で前記化粧部を残して、調整ブロック本体を埋設して造成仕上面を造る。
【０００６】
しかしながら、この調整ブロックでは、化粧部高さ調整モルタルとアンカー部高さ調整モルタルを所定の箇所に所定の高さに設ける必要があり、また、化粧部の背面と擁壁最上部の重なり部分の隅角部の空隙をモルタルで塞ぐ必要があるため、調整ブロックの設置工程が煩雑であり、作業能率が悪いとともに、前記モルタルの養生硬化に一定の時間を要するため、工期の短縮が困難である。
【０００７】
【特許文献１】特開２００４−８４４４２号公報
【発明の開示】
【発明が解決しようとする課題】
【０００８】
本発明の課題は、擁壁の天端の高さ調整が簡単に行なえ、必要に応じてガードレール基礎や側溝などの構造物を埋設できる天端調整用ブロックを提供することである。
【課題を解決するための手段】
【０００９】
本発明の天端調整用ブロックの主たる特徴は、大型ブロック積み擁壁の正面を構成する正面壁部と、該正面壁部の裏側に連設された控え尻部とからなり、構築しようとする擁壁の天端の設計勾配に対応して余長部分を切除できるように、前記正面壁部を前記控え尻部よりも上方に長く突出形成してあることである。
【発明の効果】
【００１０】
本発明の天端調整用ブロックは、通常の基本的な擁壁ブロックの積み上げによって構築された大型ブロック積み擁壁の最上部に設置されるものであるが、正面壁部は控え尻部よりも余分に長く突出形成されており、擁壁天端の設計勾配に対応して余長部分を切除し、該正面壁部の上端切断面に揃えて当該正面壁部の裏側に土砂、砕石などの裏込め材で埋め戻すことによって、擁壁天端を設計勾配に正しく合致させることができる。
【００１１】
この擁壁天端部の工事は、設計勾配に合わせて余長部分を工場または施工現場で予め切除して置き、この切除加工済みの天端調整用ブロックの控え尻部を正面壁部が最上段の擁壁ブロックの正面版部に揃うように最上段の擁壁ブロックの上に配置し、その後、正面壁部の裏側空間を埋め戻すことによって行なわれるため、一連の工事が簡単かつ作業能率良く行なえる。
【００１２】
裏側空間の埋め戻しに当たって、前記正面壁部が型枠代わりとなるため、面倒な型枠世知工事や足場設置工事が不要となり、資材や労賃コストが節減され、全体の工期を短縮することもできる。
また、天端調整用ブロックの設置に当たって、特許文献１の前記調整ブロックのようなモルタル工事を一切含まないため、モルタルの養生硬化の時間によって工期の短縮が妨げられることもない。
【００１３】
切断されて残った正面壁部と控え尻部の間に存在する空間をガードレール基礎部や側溝といった構造物の埋設用空間に利用することができ、これら構造物の設置が追加工事の必要なしに簡単に行なえる。
【実施例】
【００１４】
図１から図４は本発明の一実施例の基本構成を示すものであり、例えば鉄筋コンクリートで作製される天端調整用ブロック１は、正面壁部２と控え尻部３が一体成形されている。控え尻部３は正面壁部２の裏側下部に連設されており、左右一対のつなぎ部３ａによってアンカー部３ｂが正面壁部２に接続されている。
図４に示したように、天端調整用ブロック１の正面壁部２は基本型の擁壁ブロック４の正面版部５と突き合わせて積み上げられ、天端調整用ブロック１の控え尻部３は同様に構成された基本型の擁壁ブロック４の控え尻部６と突き合わせて積み上げられる。
【００１５】
図３に示したように天端調整用ブロック１の正面壁部２は、電動カッターなどの工具によって、大型ブロック擁壁の設計勾配に合うように余長部分２ａが切除される。
本実施例では、本体の擁壁の最上部の裏込め材料１３の上に敷きモルタル７が施され、この上にガードレール８の支柱９のコンクリート基礎部１０が埋設されている。
図５と図７に示したように、天端調整用ブロック１の正面壁部２には、基本型の擁壁ブロック４の正面版部５に付した凹凸模様１１と符合した凹凸模様１２を付してあり、擁壁全体の景観を統一することができる。
【００１６】
図８から図１１は本発明の別の実施例の基本構成を示すものであり、例えば鉄筋コンクリートで作製される天端調整用ブロック１は、正面壁部２と控え尻部３が一体成形されている。控え尻部３は脚板状であり、正面壁部２の裏側下部に左右一対に連設されている。
図１１に示したように、天端調整用ブロック１の正面壁部２は基本型の擁壁ブロック４の正面版部５と突き合わせて積み上げられ、天端調整用ブロック１の控え尻部３は、擁壁ブロック４の控え尻部６のつなぎ部と突き合わせて積み上げられる。
【００１７】
図１０に示したように天端調整用ブロック１の正面壁部２は、電動カッターなどの工具によって、大型ブロック擁壁の設計勾配に合うように余長部分２ａが切除される。
本実施例では、正面壁部２と控え尻部３の間の空間に裏込め材料１３が充填され、この上にガードレール８の支柱９のコンクリート基礎部１０が埋設されている。
図１２と図１４に示したように、天端調整用ブロック１の正面壁部２には、基本型の擁壁ブロック４の正面版部５に付した凹凸模様１１と符合した凹凸模様１２を付し、擁壁全体の景観を統一するようになっている。
【００１８】
図１５と図１６は本発明の他の実施例を示すものであり、例えば鉄筋コンクリートで作製される天端調整用ブロック１は、正面壁部２と控え尻部３が別々に成形され、ボルト・ナットなどの連結部材１４によってＬ字板状の控え尻部３が正面壁部２の裏側下部に連結されている。天端調整用ブロック１は、吊り治具１５を正面壁部２の上部に連結し、該吊り治具１５をクレーン等の施工機械の吊下げワイヤ１６に接続することによって、所要高さに吊り上げ施工されるようになっている。
その他の構成は前記実施例と同様であるから説明を省略する。
【図面の簡単な説明】
【００１９】
【図１】本発明の一実施例に係る天端調整用ブロックの正面側からの斜視図である。
【図２】図１の天端調整用ブロックの背面側からの斜視図である。
【図３】図１の天端調整用ブロックの余長部分を切除したときの正面側からの斜視図である。
【図４】図１の天端調整用ブロックの施工例を示す縦断面図である。
【図５】図１の天端調整用ブロックの正面壁部に凹凸模様を付したものの平面図である。
【図６】図５の天端調整用ブロックの背面図である。
【図７】図５の天端調整用ブロックの左側面図である。
【図８】本発明の別の実施例に係る天端調整用ブロックの正面側からの斜視図である。
【図９】図８の天端調整用ブロックの背面側からの斜視図である。
【図１０】図８の天端調整用ブロックの余長部分を切除したときの正面側からの斜視図である。
【図１１】図８の天端調整用ブロックの施工例を示す縦断面図である。
【図１２】図８の天端調整用ブロックの正面壁部に凹凸模様を付したものの平面図である。
【図１３】図１２の天端調整用ブロックの背面図である。
【図１４】図１２の天端調整用ブロックの左側面図である。
【図１５】本発明の更に別の実施例に係る天端調整用ブロックの吊り上げ施工の過程を示す縦断面図である。
【図１６】図１５の天端調整用ブロックの施工例を示す縦断面図である。
【符号の説明】
【００２０】
１  天端調整用ブロック
２  天端調整用ブロックの正面壁部
２ａ  正面壁部の余長部分
３  天端調整用ブロックの控え尻部
３ａ  控え尻部のつなぎ部
３ｂ  控え尻部のアンカー部
４  基本型の擁壁ブロック
５  擁壁ブロックの正面版部
６  擁壁ブロックの控え尻部
７  敷きモルタル
８  ガードレール
９  ガードレールの支柱
１０  ガードレールの基礎部
１１  擁壁ブロックの凹凸模様
１２  天端調整用ブロックの凹凸模様
１３  裏込め材料
１４  連結部材
１５  吊り治具
１６  吊下げワイヤ
【図１】
2007077662.tif 000003
【図２】
2007077662.tif 000004
【図３】
2007077662.tif 000005
【図４】
2007077662.tif 000006
【図５】
2007077662.tif 000007
【図６】
2007077662.tif 000008
【図７】
2007077662.tif 000009
【図８】
2007077662.tif 000010
【図９】
2007077662.tif 000011
【図１０】
2007077662.tif 000012
【図１１】
2007077662.tif 000013
【図１２】
2007077662.tif 000014
【図１３】
2007077662.tif 000015
【図１４】
2007077662.tif 000016
【図１５】
2007077662.tif 000017
【図１６】
2007077662.tif 000018